(57)【要約】【課題】計測されているデータをもとに、施設管理装置が対象とする設備の状態が、即時的に監視できるようにする。【解決手段】パルス数監視集計部１０４は、監視要求受け付け部１０３の指示により、測定機器から出力されるパルス信号の取得を開始し、取得したパルス数を積算し、監視要求受け付け部１０３からの指示により、パルス数の積算を停止する。また、パルス数監視集計部１０４は、監視要求受け付け部１０３からの監視開始の指示を受け付けると、積算しているパルス数を計測値に換算し、換算した計測値を監視を開始した時刻からの経過時間と共に、表示部１０５に表示出力する。加えて、パルス数監視集計部１０４は、監視要求受け付け部１０３から監視終了の指示を受け付けると、積算したパルス数を計測値に換算し、換算した計測値を表示部１０５に表示出力する。【選択図】  図１
2010211675.tif 000002
【特許請求の範囲】
【請求項１】
測定機器から出力されるパルス信号を取得して取得したパルス信号の数を積算し、積算したパルス数を記憶するパルス積算取得手段と、
このパルス積算取得手段が記憶しているパルス数の、設定されている単位時間毎の差分を計算し、計算した差分値を前記単位時間毎に記憶し、記憶した差分値を設定されている換算式に則って第１計測値に換算するパルス差分集計手段と、
操作者の操作による監視の開始指示および終了指示を受け付ける監視要求受け付け手段と、
この監視要求受け付け手段が受け付けた開始指示により、前記測定機器から出力されるパルス信号の取得を開始し、取得したパルス信号の数の積算を開始し、積算しているパルス数を前記換算式に則って第２計測値に換算し、前記監視要求受け付け手段が受け付けた終了指示により、前記パルス信号の数の積算を停止し、この停止まで積算したパルス数を前記換算式に則って第３計測値に換算するパルス数監視集計手段と、
このパルス監視集計手段から出力される前記第２計測値および前記第３計測値を表示する表示手段と
を少なくとも備えることを特徴とする施設管理装置。
【請求項２】
測定機器から出力されるパルス信号を取得して取得したパルス信号の数を積算し、積算したパルス数を記憶するパルス積算取得ステップと、
このパルス積算取得ステップで記憶されたパルス数の、設定されている単位時間毎の差分を計算し、計算した差分値を前記単位時間毎に記憶し、記憶した差分値を設定されている換算式に則って第１計測値に換算するパルス差分集計ステップと、
操作者の操作による監視の開始指示および終了指示を受け付ける監視要求受け付けステップと、
受け付けられた開始指示により、前記測定機器から出力されるパルス信号の取得を開始し、取得したパルス信号の数の積算を開始し、積算しているパルス数を前記換算式に則って第２計測値に換算する第１監視集計ステップと、
受け付けられた終了指示により、前記パルス信号の数の積算を停止し、この停止まで積算したパルス数を前記換算式に則って第３計測値に換算する第２監視集計ステップと、
前記第２計測値および前記第３計測値を表示する表示ステップと
を少なくとも備えることを特徴とする施設管理方法。  
【発明の詳細な説明】
【技術分野】
【０００１】
本発明は、施設設備の状態を即時的に監視することを可能とした施設管理装置および方法に関するものである。
【背景技術】
【０００２】
従来より、ビルなどを管理する施設管理装置では、管理対象の施設の状態を、日報、月報、および年報などの定時報告データとして出力している。このような定時報告データの出力では、予め定められた期間で集計された結果を報告することを目的としており、計測されるデータ（計測データ）を、定められた期間当たりの集計データ（合計値，平均値，最大値，最小値）として出力している（特許文献１参照）。例えば、電力メータで測定された計測データを、１ヶ月当たりの偏差に変換して集計し、課金やエネルギー管理などに利用する報告データとして出力している。
【先行技術文献】
【特許文献】
【０００３】
【特許文献１】特開２００５−２３４８２３号公報
【発明の概要】
【発明が解決しようとする課題】
【０００４】
しかしながら、上述した施設管理装置では、計測データを常に監視していないため、制御の状態がどの様に反映されているかを、即時的に把握することができないという問題があった。例えば、制御パラメータの変更、設備環境や制御登録状況の変化が、制御結果としての消費電力やＣＯ2発生量などに影響を与えているかなどを、変更や変化が発生した時点で即時的に把握することができない。
【０００５】
本発明は、以上のような問題点を解消するためになされたものであり、計測されているデータをもとに、施設管理装置が対象とする設備の状態が、即時的に監視できるようにすることを目的とする。
【課題を解決するための手段】
【０００６】
本発明に係る施設管理装置は、測定機器から出力されるパルス信号を取得して取得したパルス信号の数を積算し、積算したパルス数を記憶するパルス積算取得手段と、このパルス積算取得手段が記憶しているパルス数の、設定されている単位時間毎の差分を計算し、計算した差分値を単位時間毎に記憶し、記憶した差分値を設定されている換算式に則って第１計測値に換算するパルス差分集計手段と、操作者の操作による監視の開始指示および終了指示を受け付ける監視要求受け付け手段と、この監視要求受け付け手段が受け付けた開始指示により、測定機器から出力されるパルス信号の取得を開始し、取得したパルス信号の数の積算を開始し、積算しているパルス数を換算式に則って第２計測値に換算し、監視要求受け付け手段が受け付けた終了指示により、パルス信号の数の積算を停止し、この停止まで積算したパルス数を換算式に則って第３計測値に換算するパルス数監視集計手段と、このパルス監視集計手段から出力される第２計測値および第３計測値を表示する表示手段とを備える。
【０００７】
また、本発明に係る施設管理方法は、測定機器から出力されるパルス信号を取得して取得したパルス信号の数を積算し、積算したパルス数を記憶するパルス積算取得ステップと、このパルス積算取得ステップで記憶されたパルス数の、設定されている単位時間毎の差分を計算し、計算した差分値を単位時間毎に記憶し、記憶した差分値を設定されている換算式に則って第１計測値に換算するパルス差分集計ステップと、操作者の操作による監視の開始指示および終了指示を受け付ける監視要求受け付けステップと、受け付けられた開始指示により、測定機器から出力されるパルス信号の取得を開始し、取得したパルス信号の数の積算を開始し、積算しているパルス数を換算式に則って第２計測値に換算する第１監視集計ステップと、受け付けられた終了指示により、パルス信号の数の積算を停止し、この停止まで積算したパルス数を換算式に則って第３計測値に換算する第２監視集計ステップと、第２計測値および第３計測値を表示する表示ステップとを備える。
【発明の効果】
【０００８】
以上説明したように、本発明によれば、操作者の操作による監視の開始指示および終了指示を受け付け、受け付けられた開始指示により、測定機器から出力されるパルス信号の取得を開始し、取得したパルス信号の数の積算を開始し、積算しているパルス数を換算式に則って第２計測値に換算し、受け付けられた終了指示により、パルス信号の数の積算を停止し、この停止まで積算したパルス数を換算式に則って第３計測値に換算し、第２計測値および第３計測値を表示するようにしたので、施設管理装置が対象とする設備の状態が、即時的に監視できるようになるという優れた効果が得られる。
【図面の簡単な説明】
【０００９】
【図１】本発明の実施の形態における施設管理装置の構成例を示す構成図である。
【図２】本発明の実施の形態における施設管理装置の動作例（施設管理方法）を示すフローチャートである。
【図３】表示部１０５に表示される画面の一例を示す説明図である。
【図４】表示部１０５に表示される画面の一例を示す説明図である。
【発明を実施するための形態】
【００１０】
以下、本発明の実施の形態について図を参照して説明する。図１は、本発明の実施の形態における施設管理装置１００の構成を示す構成図である。この施設管理装置１００は、パルス積算取得部１０１、パルス偏差計算部１０２、監視要求受け付け部１０３、パルス数監視集計部１０４、および表示部１０５を備える。
【００１１】
パルス積算取得部１０１は、測定機器から出力されるパルス信号を取得し、取得したパルス信号の数（パルス数）を積算していく。例えば、測定機器としての電力メータでは、１０ｋＷｈ以上の電力消費を計測すると、１パルスを出力するように設定されている。パルス積算取得部１０１は、このように測定機器より出力されるパルス信号を取得し、取得したパルス信号の数を積算する。
【００１２】
例えば、時刻０：００から時刻１：００の間に３パルス取得したパルス積算取得部１０１は、自身が備える記憶部（不図示）にパルス数３を記憶する。次いで、時刻１：００から時刻２：００の間に４パルス取得したパルス積算取得部１０１は、自身が備える記憶部に記憶されているパルス数３に４パルスを加算したパルス数７を新たに記憶する。次いで、時刻２：００から時刻３：００の間に１３パルス取得したパルス積算取得部１０１は、自身が備える記憶部に記憶されているパルス数７に１３パルスを加算したパルス数２０を新たに記憶する。このように、パルス積算取得部１０１は、予め設定されている時間毎に、取得したパルス数を積算（加算）し、累計したパルス数を記憶部に記憶していく。
【００１３】
パルス差分集計部１０２は、上述したようにパルス積算取得部１０１が累計（積算）して記憶しているパルス数の、単位時間（例えば１時間）毎の偏差（差分）を集計する。例えば、時刻１：００に、パルス積算取得部１０１が累計して記憶しているパルス数である３パルスを集計値として自身の記憶部（不図示）に記憶する。また、時刻２：００に、パルス積算取得部１０１が累計して記憶しているパルス数である７パルスと自身が記憶している前回の集計値である３パルスとの差分の４パルスを集計値として自身の記憶部に記憶する。また、時刻３：００に、１３（＝２０−７）パルスを集計値として自身の記憶部に記憶する。このように、パルス差分集計部１０２は、予め設定されている時間毎に、パルス積算取得部１０１が累計して記憶しているパルス数の、単位時間毎の差分を集計値として集計する。
【００１４】
また、パルス偏差集計部１０２は、設定されている期間の間、上述した集計値を設定されている換算式に則って計測値（第１計測値）に換算し、換算した計測値を表示部１０５に出力（表示）する。例えば、前述したように、測定機器としての電力メータより、１０ｋＷｈ以上の電力消費を計測すると１パルスが出力されている。従って、パルス偏差集計部１０２は、１パルス当たり１０ｋＷｈで集計値を計測値に換算し、換算した計測値を表示部１０５に出力する。
【００１５】
監視要求受け付け部１０３は、本装置の操作者の操作による即時的な監視の指示を受け付ける。例えば、操作者の操作により、時刻３：０５に監視開始を受け付け、時刻４：０６に監視終了を受け付ける。このようにして受け付けた監視の指示をもとに、監視要求受け付け部１０３は、パルス数監視集計部１０４の動作を制御する。
【００１６】
パルス数監視集計部１０４は、監視要求受け付け部１０３の指示により、測定機器から出力されるパルス信号の取得を開始し、取得したパルス信号の数（パルス数）を積算する。パルス数監視集計部１０４は、監視要求受け付け部１０３からの指示により、パルス数の積算を停止する。例えば、時刻３：０５に、監視要求受け付け部１０３から監視開始の指示を受け付けると、測定機器から出力されるパルス信号の取得を開始し、パルス数の積算を開始する。この後、時刻４：０６に、監視要求受け付け部１０３から監視終了の指示を受け付けると、パルス数の積算を停止し、また、パルス信号の取得を停止する。
【００１７】
また、パルス数監視集計部１０４は、監視要求受け付け部１０３からの監視開始の指示を受け付けると、積算しているパルス数を設定されている換算式に則って計測値（第２計測値）に換算し、監視を開始した時刻からの経過時間と共に換算した計測値を表示部１０５に表示出力する。加えて、パルス数監視集計部１０４は、監視要求受け付け部１０３から監視終了の指示を受け付けると、積算したパルス数を設定されている換算式に則って計測値（第３計測値）に換算し、換算した計測値を表示部１０５に表示出力する。例えば、前述したように、測定機器としての電力メータより、１０ｋＷｈ以上の電力消費を計測すると１パルスが出力されているので、１パルス当たり１０ｋＷｈとする換算式で、積算パルス値を計測値に換算する。この換算のための値は、予め設定されている。
【００１８】
次に、本実施の形態における施設管理装置の動作例について、図２のフローチャートを用いて説明する。まず、図２（ａ）に示すように、ステップＳ２０１で、パルス積算取得部１０１が、測定機器から出力されるパルス信号を取得し、パルス数を積算していく。次に、ステップＳ２０２で、パルス偏差計算部１０２が、単位時間（例えば１時間）毎に、積算されているパルス数の差分を計算する。次に、ステップＳ２０３で、パルス偏差集計部１０２が、計算した差分を集計する。上述したステップＳ２０１からステップＳ２０３を、設定されている期間継続した後（ステップＳ２０４）、パルス偏差集計部１０２は、集計した各集計値を計測値に換算し、換算した計測値を表示部１０５に出力して表示させる（ステップＳ２０５）。以上の動作を、集計動作が停止されるまで継続する（ステップＳ２０６）。
【００１９】
一方、図２（ｂ）に示すように、監視要求受け付け部１０３が、操作者の操作による即時的な監視開始の指示を受け付けると（ステップＳ２１１）、監視要求受け付け部１０３は、パルス数監視集計部１０４に監視開始の指示を出す。この指示を受け付けたパルス数監視集計部１０４は、測定機器から出力されるパルス信号の取得を開始し、取得したパルス信号の数（パルス数）を積算を開始する（ステップＳ２１２）。また、積算を開始したパルス数監視集計部１０４は、この時点まで集計しているパルス数を計測値に換算し、換算した計測値を表示部１０５に出力して表示させる（ステップＳ２１３）。
【００２０】
この後、監視要求受け付け部１０３が、操作者の操作による即時的な監視終了の指示を受け付けると（ステップＳ２１４）、パルス数監視集計部１０４は、パルス数の積算を停止し、また、パルス信号の取得を停止する（ステップＳ２１５）。次に、パルス数監視集計部１０４は、監視を開始してから停止するまでの積算したパルス数を計測値に換算し、換算した計測値を表示部１０５に出力して表示させる（ステップＳ２１６）。
【００２１】
ここで、表示部１０５における表示形態について説明する。図３に示すように、表示部１０５には、経過時間および計測値としてのエネルギー使用量（電力使用量）が表示される。また、表示部１０５には、「開始」および「終了」のボタンアイコンが表示されている。操作者による図示しないポインティングデバイスの操作で、「開始」のボタンアイコンが選択されると、監視要求受け付け部１０３は、パルス数監視集計部１０４に監視開始の指示を出す。図３では、監視中の計測値が表示されており、上述したステップＳ２１３における計測値の表示に対応している。
【００２２】
また、操作者によるポインティングデバイスの操作で、「終了」のボタンアイコンが選択されると、監視要求受け付け部１０３は、パルス数監視集計部１０４に監視停止の指示を出す。この監視停止の指示により、パルス数監視集計部１０４は、図４に示すように、監視を開始してから停止するまで集計したことによる計測値を、表示部１０５に表示させる。図４は、上述したステップＳ２１４における計測値の表示に対応している。
【００２３】
以上に説明したように、本実施の形態によれば、パルス積算取得部１０１およびパルス偏差計算部１０２による通常の監視動作とは別に、監視要求受け付け部１０３とパルス数監視集計部１０４により、操作者が指定した期間における監視と監視結果の表示とを行うようにした。この結果、本実施の形態によれば、例えば、監視対象の施設（設備）における制御値を変更した後の、所望とする期間の施設稼働状況を、容易に確認することができるようになる。これにより、より適切な制御値の設定がより容易に行えるようになる。
【００２４】
なお、上述では、測定機器が電力メータの場合について説明したが、これに限るものではない。例えば、使用したガスの量を測定するガス量メータや、使用した水道水の量を測定する水道メータであっても、同様である。また、上述では、図３に例示したように、１つの計測機器から得られる計測値を表示するようにしたが、これに限るものではない。複数の計測機器から得られる複数の計測値を、同時に表示するようにしてもよい。また、計測値をテキスト（数値）で表示するようにしたが、これに限るものではない。例えば、棒グラフなどにして表示してもよい。
【符号の説明】
【００２５】
１００…施設管理装置、１０１…パルス積算取得部、１０２…パルス偏差計算部、１０３…監視要求受け付け部、１０４…パルス数監視集計部、１０５…表示部。
【図１】
2010211675.tif 000003
【図２】
2010211675.tif 000004
【図３】
2010211675.tif 000005
【図４】
2010211675.tif 000006